(57)【要約】【課題】  スプリンクラー消火設備の部材や配設工事を統一して低コスト化を実現する。【解決手段】  水道水を噴射するスプリンクラーヘッドを建物の天井に設置する屋内水道管連結型のスプリンクラー消火設備において、合成樹脂製の防災配管を、屋内水道管から止水栓を介して天井のスプリンクラーヘッドに接続し、さらに所定個数のスプリンクラーヘッドを直列に接続し、最下流のスプリンクラーヘッドから水まわり器具に接続する。また、この防災配管の口径を屋内水道管の口径と同一にする。【選択図】図２
2015085048.tif 000002
【特許請求の範囲】
【請求項１】
水道水を噴射するスプリンクラーヘッドを建物の天井に設置する屋内水道管連結型のスプリンクラー消火設備であって、
合成樹脂製の防災配管が、屋内水道管から止水栓を介して天井のスプリンクラーヘッドの一端に接続され、当該スプリンクラーの他端から水まわり器具に接続されていることを特徴とするスプリンクラー消火設備。
【請求項２】
水道水を噴射するスプリンクラーヘッドを建物の天井に設置する屋内水道管連結型のスプリンクラー消火設備であって、
合成樹脂製の防災配管が、屋内水道管から止水栓を介して天井のスプリンクラーヘッドに接続され、さらに所定個数のスプリンクラーヘッドに直列接続され、最下流のスプリンクラーヘッドから水まわり器具に接続されていることを特徴とするスプリンクラー消火設備。
【請求項３】
前記防災配管の口径は、前記屋内水道管の口径と略同一であることを特徴とする請求項１または２に記載のスプリンクラー消火設備。
【請求項４】
データを記憶する記憶装置と、演算処理を実行する演算装置とを有し、請求項１乃至３のいずれか一項に記載のスプリンクラー消火設備の用品情報を出力する用品管理システムであって、
前記記憶装置は、合成樹脂製の防災配管、スプリンクラーヘッド、該スプリンクラーヘッドを前記防災配管に取り付けるためのヘッド取付継手、前記防災配管を固定するための固定サドル、前記防災配管を水まわり器具に接続するためのオネジソケット、および止水栓の各用品の識別情報をテンプレートとして保存し、
前記演算装置は、
前記記憶装置に保存されている前記テンプレートを用いて顧客ごとの用品テーブルを生成すると共に、当該顧客のスプリンクラー消火設備に必要な用品の数量を入力し、当該入力された数量を当該用品の識別情報に関連付けて前記用品テーブルに登録する処理と、
前記用品テーブルの内容を用品情報として出力する処理と、
を実行することを特徴とする用品管理システム。
【請求項５】
水道水を噴射するスプリンクラーヘッドを建物の天井に設置する屋内水道管連結型のスプリンクラー消火設備の施工方法であって、
水まわり器具に接続する屋内水道管を該水まわり器具から分離し、止水栓を介して合成樹脂製の防災配管の一端を前記屋内水道管に取り付ける一方、
前記防災配管を天井に配設すると共に、該防災配管に必要個数のスプリンクラーヘッドを介装し、該防災配管の他端を前記水まわり器具もしくは前記水まわり器具とは異なる水まわり器具と接続することを特徴とするスプリンクラー消火設備の施工方法。
【発明の詳細な説明】
【技術分野】
【０００１】
本発明は、水道連結型のスプリンクラーに係り、特に屋内水道管設備を水源とするスプリンクラー消火設備、用品管理システム及びスプリンクラー消火設備の施工方法に関する。
【背景技術】
【０００２】
従来、スプリンクラー消火設備の低コスト化を図るために水道連結型のスプリンクラー消火設備が提案されている。
【０００３】
たとえば、特許文献１には、分配ヘッダーによって、並列に設けられた複数のスプリンクラー配管（スプリンクラーヘッドへの防災配管）のそれぞれに水道管からの水を分配供給し、集約ヘッダーによって各スプリンクラー配管からの水を収集してトイレなどの吐水部（水まわり器具）に流すというスプリンクラー装置が記載されている。この特許文献１では、スプリンクラー配管の停滞水（いわゆる死に水）を防止するために、集約ヘッダーの各配管部に定流量弁や流量停止手段を設けるという技術が開示されている。
【０００４】
また、特許文献２では、高齢者のグループホームなどの広い部屋で複数のスプリンクラーヘッドが同時に開放すると、配管内を流れる水が増加し、水道の給水能力が不足するという問題に対処するため、水道管の主配管からそれぞれ制御弁を介して二系統のスプリンクラー配管を引き出し、各系統のスプリンクラーヘッドを同じ部屋に配設するという二重化の技術思想が開示されている。
【先行技術文献】
【特許文献】
【０００５】
【特許文献１】特開２０１３−７５１２２号公報
【特許文献２】特開２００７−３３０４００号公報
【発明の概要】
【発明が解決しようとする課題】
【０００６】
上記の従来技術は、並列構成される各スプリンクラー配管の流量を確保するために水道管の主配管から各スプリンクラー配管を引き出す必要があり、屋外配管の工事となる。このため、配管工事によるコストが掛かり、低コスト化を実現するには限界があった。
【０００７】
本発明は、上述のかかる事情に鑑みてなされたものであり、一系統を小規模のスプリンクラー消火設備で構成することにより屋内水道管からの水を水源とする実用的なスプリンクラー消火設備の構築を可能とし、またスプリンクラー消火設備の部材や配設工事を統一することにより、更なる低コスト化を実現することのできるスプリンクラー消火設備、用品管理システム及びスプリンクラー消火設備の施工方法を提供することを目的とする。
【課題を解決するための手段】
【０００８】
上記目的を達成するため、本発明に係るスプリンクラー消火設備は、水道水を噴射するスプリンクラーヘッドを建物の天井に設置する屋内水道管連結型のスプリンクラー消火設備であって、
合成樹脂製の防災配管が、屋内水道管から止水栓を介して天井のスプリンクラーヘッドの一端に接続され、当該スプリンクラーの他端から水まわり器具に接続されていることを特徴とする。
【０００９】
本発明によれば、屋内水道管から止水栓を介して天井のスプリンクラーヘッドに合成樹脂製の防災配管を配設するので低コストでスプリンクラー消火設備を設置することができる。
【００１０】
ここで、水まわり器具とは、一般の水道水を用いる器具であり、水道蛇口、便器、シャワー水栓、洗濯機用の給水栓などの器具を含む趣旨である。
【００１１】
また、本発明に係るスプリンクラー消火設備は、水道水を噴射するスプリンクラーヘッドを建物の天井に設置する屋内水道管連結型のスプリンクラー消火設備であって、
合成樹脂製の防災配管が、屋内水道管から止水栓を介して天井のスプリンクラーヘッドに接続され、さらに所定個数のスプリンクラーヘッドに直列接続され、最下流のスプリンクラーヘッドから水まわり器具に接続されていることを特徴とする。
【００１２】
本発明では一定個数のスプリンクラーヘッドを直列に接続してスプリンクラー消火設備を構成し、同じ屋内水道管の水を使用する。
【００１３】
なお、上記の防災配管の口径は、屋内水道管の口径と略同一であるのが好ましい。これにより従来よりも少ない種類の用品でスプリンクラー消火設備を構築することができる。
【００１４】
本発明に係る用品管理システムは、データを記憶する記憶装置と、演算処理を実行する演算装置とを有し、上記スプリンクラー消火設備の用品情報を出力する用品管理システムであって、
前記記憶装置は、合成樹脂製の防災配管、スプリンクラーヘッド、該スプリンクラーヘッドを前記防災配管に取り付けるためのヘッド取付継手、前記防災配管を固定するための固定サドル、前記防災配管を水まわり器具に接続するためのオネジソケット、および止水栓の各用品の識別情報をテンプレートとして保存し、
前記演算装置は、前記記憶装置に保存されている前記テンプレートを用いて顧客ごとの用品テーブルを生成すると共に、当該顧客のスプリンクラー消火設備に必要な用品の数量を入力し、当該入力された数量を当該用品の識別情報に関連付けて前記用品テーブルに登録する処理と、前記用品テーブルの内容を用品情報として出力する処理と、を実行することを特徴とする。
【００１５】
本発明によれば、用品手配の効率化を図ることができると共に、統一された用品や施工方法で作業をすることができるので、安価にスプリンクラー消火設備を設置することができる。
【００１６】
本発明に係るスプリンクラー消火設備の施工方法は、水道水を噴射するスプリンクラーヘッドを建物の天井に設置する屋内水道管連結型のスプリンクラー消火設備の施工方法であって、
水まわり器具に接続する屋内水道管を該水まわり器具から分離し、止水栓を介して合成樹脂製の防災配管の一端を前記屋内水道管に取り付ける一方、
前記防災配管を天井に配設すると共に、該防災配管に必要個数のスプリンクラーヘッドを介装し、該防災配管の他端を前記水まわり器具もしくは前記水まわり器具とは異なる水まわり器具と接続することを特徴とする。
【００１７】
特に、給水源側である元の水まわり器具へ末端（最下流）のスプリンクラーヘッドからの防災配管を戻すことによって、屋内水道管からの水を給水源として利用しつつ、停滞水を防止することができるので、既存の器具を有効利用して低コストで屋内水道管連結型スプリンクラー消火設備を構築することができる。
【発明の効果】
【００１８】
以上の如く、本発明によれば、屋内水道管から供給される水を水源とすると共に、末端のスプリンクラーからの配管を水まわり機器へつなげるので、低コストで水道連結型スプリンクラーを構築することができる。
【図面の簡単な説明】
【００１９】
【図１】本発明の第１の実施の形態によるスプリンクラー消火設備施工前の配管図である。
【図２】本発明の第１の実施の形態によるスプリンクラー消火設備施工後の配管図の一例である。
【図３】本発明の第１の実施の形態によるスプリンクラー消火設備施工後の配管図の他の例である。
【図４】本発明の第２の実施の形態による用品管理システムの機能ブロック図である。
【図５】図４の用品テーブルのデータ構成例である。
【図６】図４の数量登録手段の処理手順を示すフローチャートである。
【発明を実施するための形態】
【００２０】
（第１の実施の形態）
以下に本発明の第１の実施の形態によるスプリンクラー消火設備とスプリンクラー消火設備の施工方法について説明する。
【００２１】
本実施の形態によるスプリンクラー消火設備の特徴は、屋内水道管からスプリンクラーヘッドへの配管を行うようにしたことである。
【００２２】
図１はスプリンクラー設置前の配管図、図２および図３はスプリンクラー設置後の配管図である。なお、本実施形態では、既存の配管状態においてスプリンクラーを後付けする場合の例について説明するが、新築家屋においては最初から図２ないし図３の如く設置することも勿論可能である。
【００２３】
図１において、２は水道本管から各家庭に引き込まれる給水管の上流位置に設けられたメーターボックスで水道メータ２ａと止水栓２ｂとを備えている。メーターボックス２の下流には一般給水配管３（３ａ，３ｂ）が布設されている。この一般給水配管３の口径は、例えば口径１６Ａないし２０Ａが用いられるが、これに限らず必要な流量によって選定される。
【００２４】
また、分岐部５を介して、屋内水道管１５が床面２１から立ち上げられ、継手６を介して水道蛇口９と繋がっている。なお、一般的に屋内水道管１５は一般給水配管３よりも口径は小さく、例えば口径１３Ａの配管が用いられる。
【００２５】
次に図２に基づいて、スプリンクラー消火設備１を設置する場合について説明する。
まず水道蛇口９に繋がる継手６を除去し、止水栓１０を介して屋内水道管１５と合成樹脂製の防災配管４ａとを接続する。なお、屋内水道管１５と防災配管４ａとを図示しない継手を介して接続し、防災配管４ａの途中に止水栓１０を介装するようにしても良い。
【００２６】
そして、防災配管４ａを天井２２まで配設し、ヘッド取付継手（図示せず）を介して防災配管４ａとスプリンクラーヘッド８ａとを繋げる。さらに防災配管４ｂを介してスプリンクラーヘッド８ａとスプリンクラーヘッド８ｂとを接続する。そして、下流のスプリンクラーヘッド８ｂから防災配管４ｃを水道蛇口９まで配設し、継手１７を介して水道蛇口９と繋げる。
【００２７】
上記の説明において、スプリンクラーヘッドを一つのみ天井２２に取り付ける場合は、スプリンクラーヘッド８ａから合成樹脂製の防災配管４ｂを水道蛇口９側へ戻すようにすれば良い。また、３個以上のスプリンクラーヘッドを取り付ける場合は、防災配管によって必要個数のスプリンクラーヘッドを直列に接続する。なお、屋内水道管からスプリンクラー用の水源を取り出す場合、一つの屋内水道管あたりスプリンクラーヘッドの個数は２個以下、好ましくは１個とするのが望ましい。
【００２８】
本実施の形態では、スプリンクラー消火設備１に用いられる合成樹脂製の防災配管、スプリンクラーヘッド、継手、止水栓の屋内設備は全て屋内水道管１５と同一の口径のものを使用する。
【００２９】
スプリンクラー消火設備の設置箇所が施工前に正確に把握することができれば、合成樹脂製の防災配管は予め切断した状態で準備しておいても良いが、各配管４ａ〜４ｃの長さを合計した全長の防災配管を準備し、施工時に設置状況に合わせて随時切断して使用するようにしても良い。また、配設状態によって、必要により継手を介装し、固定サドル７ａ，７ｂによって防災配管を天井等に固定する。
【００３０】
平常時においては、水道蛇口９を開放すれば、給水元圧により、分岐部５から屋内水道管１５、防災配管４（４ａ，４ｂ，４ｃ）を経由して給水される。スプリンクラーヘッド８ａ，８ｂは可溶合金でキャップされ、水が噴出しない状態になっている。
【００３１】
次に、火災発生時のスプリンクラー消火設備１の作動について説明する。
止水栓１０は常に開放された状態とし、防災配管４（４ａ，４ｂ，４ｃ）からスプリンクラーヘッド８ａ，８ｂは常に水が充満した状態にしておく。この状態で火災が発生した場合、火災による熱でスプリンクラーヘッド８ａ、８ｂの可溶合金が溶けると、キャップ１８ａ，１８ｂが外れ、瞬時にスプリンクラーヘッド８ａ，８ｂから水が噴出し消火動作が開始される。
【００３２】
なお、スプリンクラーヘッドには作動温度（可溶合金が溶け始める温度）の異なるタイプが複数存在するので、同じ部屋に２個以上のスプリンクラーヘッドを取り付ける場合は、最も火元になりやすいと考えられる場所の近傍には、相対的に作動温度が低い方のスプリンクラーヘッドを取り付け、火元になりやすいと考えられる場所から遠い位置に取り付けられるスプリンクラーヘッドの作動温度は、相対的に高いものを使用するようにするのが好ましい。このようにすれば、火災発生の初期段階でスプリンクラーが同時に開放状態になって防災配管内の水圧が低下することを防止でき、また火元に近い方のスプリンクラーを十分な水圧をもって先に作動させることができる。
【００３３】
本実施の形態によれば、水道蛇口を定期的に開放することにより、停滞水の発生を防止することができる。また、屋内水道管を給水源として、基本的に部屋ごとあるいは最小限の部屋群ごとにスプリンクラー消火設備を設置するので、小規模なスプリンクラー消火設備単位の施工によって、大規模な病院などにおいても各部屋にスプリンクラーが設置された状態を安価に実現することができる。
【００３４】
なお、本実施形態では、水道蛇口への配管をスプリンクラー消火設備へ接続し、水道蛇口へ戻す構成としたが、屋内水道管の他のポイントから分岐して、スプリンクラー消火設備の水源とすることも勿論可能である。また、設置すべきスプリンクラーヘッドの個数によっては、一つの屋内水道管では容量不足となる場合があるが、この場合は系統を分けて別の屋内水道管から配設するようにする。
【００３５】
本実施の形態によれば、部屋ごとのスプリンクラーの設置位置と、設置個数が決まれば、家屋の図面から、必要な配管長がわかるので、統一した用品の手配が可能となる。また、屋外配管に接続する必要がなく、屋内用の配管のみを用いて構築することができるので安価にスプリンクラー消火設備を構築することができる。
【００３６】
（他の実施例）
図３にスプリンクラー消火設備施工の他の実施例を示す。
図２との違いは、継手１７に代えて、分岐部１６を設けて、屋内水道管１５を水道蛇口９と防災配管４ｄの両方に繋げるようにした。また、最下流のスプリンクラーヘッドから水源である水道蛇口側に配管を戻すのではなく、最下流のスプリンクラーヘッドから水道蛇口９とは別の水まわり機器である便器１１に配管するようにした。
【００３７】
図３の構成によっても、停滞水の発生を防止でき、屋内水道管を給水源とした安価なスプリンクラー消火設備を構築することができる。
【００３８】
（第２の実施の形態）
次に、上述したスプリンクラー消火設備の用品を手配するための用品管理システムについて説明する。
図４は、本実施の形態による用品管理システムの機能ブロック図である。ここで、用品管理システム５０は、データを記憶する記憶装置５１、演算処理を実行する演算装置５２、データを入力するキーボードなどで構成される入力装置５３、およびデータを出力するディスプレイやプリンタなどで構成される出力装置５４を備えている。なお、ＤＶＤ−ＲＷなどのように入力装置５３と出力装置５４を一体として構成することもできる。
【００３９】
また、この用品管理システム５０は、スタンドアロン型のコンピュータ装置で実現することもできるが、記憶装置５１と演算装置５２をサーバで構成し、入力装置５３と出力装置５４を当該サーバと通信ネットワークを介して繋がる端末装置で構成したサーバクライアント型のコンピュータシステムで実現することもできる。
【００４０】
演算装置５２は、入力装置５３からスプリンクラー消火設備に必要な用品の品名等の基本情報７１を入力して、記憶装置５１にテンプレートとして登録する処理を実行する基本情報登録手段６１、この基本情報のテンプレートを用いて、顧客ごとの用品テーブル７２を生成し、入力装置５３から当該顧客のスプリンクラー消火設備に必要な用品の数量を入力して当該用品テーブル７２に登録する処理を実行する数量登録手段６２、および、記憶装置５１に登録されている用品テーブル７２の内容を出力する処理を実行するデータ出力手段６３を備えている。
【００４１】
次に上記の構成を有するスプリンクラー用品手配システムの動作を説明する。
ユーザ（施工業者）は、予めスプリンクラー消火設備に必要な用品の用品名等の基本情報を入力装置５３から入力する。第１の実施の形態で説明したスプリンクラー消火設備に必要な用品は、合成樹脂製の防災配管、スプリンクラーヘッド、スプリンクラーヘッドを合成樹脂製の防災配管に取り付けるためのヘッド取付継手、合成樹脂製の防災配管を固定するための固定サドル、合成樹脂製の防災配管を水まわり器具に接続するためのオネジソケット、および止水栓であるが、これ以外に施工に必要な用品があればその用品も含めて登録を行う。
【００４２】
演算装置５２の基本情報登録手段６１は、入力装置５３から入力された用品名を受け取ると、各用品名ごとに識別情報を付して、記憶装置５１にテンプレートとして登録する。なお、テンプレートとしては、少なくとも用品を識別できる情報が登録されていれば良いが、施工パターンごとに標準的な用品の数量を予め登録しておいても良い。この施工パターンとは、たとえば水道蛇口やシャワーなどの屋内水源の種別あるいは一のスプリンクラー配管に取り付くスプリンクラーヘッドの個数などである。
その後、ユーザは、入力装置５３から顧客ごとにその顧客のスプリンクラー消火設備に必要な用品の数量を入力する。
【００４３】
次に、演算装置５２の数量登録手段６２の動作を図６のフローチャートに基づいて説明する。
【００４４】
数量登録手段６２は、入力装置５３から顧客ＩＤを含む入力要求を受け取ると（Ｓ１０１．Ｓ１０２）、まず当該入力要求に含まれている顧客ＩＤの用品テーブル７２が存在するか否かを判定し（Ｓ１０３）、存在する場合は（Ｓ１０３で「ＹＥＳ」）、その用品テーブル７２にアクセスして（Ｓ１０４）、その用品テーブル７２の内容をディスプレイ（出力装置）５４に表示する（Ｓ１０６）。一方、当該顧客の用品テーブル７２が存在しない場合は（Ｓ１０３で「ＮＯ」）、テンプレートをコピーすることによって当該顧客の用品テーブル７２を生成し（Ｓ１０５）、当該用品テーブル７２の内容をディスプレイ５４に表示する（Ｓ１０６）。図５は、用品テーブル７２の一例である。
【００４５】
ユーザは、ディスプレイ５４に表示された内容を確認しながら、入力装置５３から用品名に対応する数量欄に当該用品の数量を入力する。
【００４６】
なお、数量データの入力に際し、ユーザは、予め配管状態を示した元図を入手し、その元図をもとにスプリンクラーヘッドの取り付け位置や配管経路を決め、必要な用品の数量や配管長を求めておくことは言うまでもない。
【００４７】
数量登録手段６２は、入力装置５３から入力された数量データを受け取ると（Ｓ１０７）、当該顧客の用品テーブル７２にアクセスして、その用品名の識別情報（用品ＩＤ）に対応する数量欄に入力した数量データを書き込む（Ｓ１０８）。ステップＳ１０７以降の処理を終了指示を受け付けるまで繰り返す（Ｓ１１０）。なお、ステップＳ１０７において、一定時間数量データの入力が無い場合は終了する。
以上が数量登録手段６２の処理である。
【００４８】
次にユーザは、入力装置５３から顧客を指定して用品テーブル７２の内容の出力指示を入力する。
【００４９】
データ出力手段６３は、この出力指示を受け取ると、指定された顧客の用品テーブル７２の内容をプリンタ（出力装置）５４に出力する。
【００５０】
本実施の形態によれば、用品手配の効率化を図ることができると共に、標準化された用品や施工方法で作業をすることができるので、安価にスプリンクラー消火設備を設置することができる。
【符号の説明】
【００５１】
１    スプリンクラー消火設備
２    メーターボックス
２ａ    水道メータ
２ｂ    止水栓
３    一般給水配管
４，４ａ〜４ｇ    防災配管
５，１６    分岐部
６，１７    継手
８ａ，８ｂ    スプリンクラーヘッド
７ａ，７ｂ    固定サドル
９    水道蛇口
１０    止水栓
１１    便器
１５    屋内水道管
１８ａ，１８ｂ    キャップ
２１    床面
２２    天井
５０    用品管理システム
５１    記憶装置
５２    演算装置
５３    入力装置
５４    出力装置（ディスプレイ）
６１    基本情報登録手段
６２    数量登録手段
６３    データ出力手段
７１    基本情報
７２    用品テーブル
【図１】
2015085048.tif 000003
【図２】
2015085048.tif 000004
【図３】
2015085048.tif 000005
【図４】
2015085048.tif 000006
【図５】
2015085048.tif 000007
【図６】
2015085048.tif 000008